(57)【特許請求の範囲】
【請求項１】
壁面に固定され、吸込み口部と吹出し口部とにより構成されたグリル取り付け板と、このグリル取り付け板にリモコンからの運転信号を受信する受信箱を装着し、グリルを着脱可能に構成した浴室暖房乾燥機であって、前記グリル取り付け板の吹出し口部に複数個の上下可動ルーバーを装着し、その内の一枚を前記吸込み口部と前記吹出し口部とを区画するセパレーターの先端部に、他の前記複数個の上下可動ルーバーと連動するように設けたことを特徴とする浴室暖房乾燥機。
【請求項２】
壁面に固定され、吸込み口部と吹出し口部とにより構成されたグリル取り付け板と、このグリル取り付け板にリモコンからの運転信号を受信する受信箱を装着し、グリルを着脱可能に構成した浴室暖房乾燥機であって、前記グリル取り付け板の吹出し口部に装着される複数個の左右可動ルーバーは、上部にピンＡを形成し、前記吸込み口部と前記吹出し口部とを区画するセパレーターに設けた孔に挿入するとともに、下部に皿部を構成し、この皿部の底面に溝を形成するとともに、前記皿部の丸孔に挿入するようピンＢを形成し、このピンＢに凸部を設け、前記溝に嵌合する構成としたことを特徴とする浴室暖房乾燥機。
【発明の詳細な説明】
【０００１】
【発明の属する技術分野】
本発明は、おもに浴室の壁面に取り付けられ、浴室内に設置したグリルと屋外に設置した屋外機とをダクトにより連通して、浴室内の暖房および換気をする浴室暖房乾燥機に関する。
【０００２】
【従来の技術】
従来、この種の浴室暖房乾燥機は、図６に示すような構成が一般的であった。以下、その構成について図６を参照しながら説明する。
【０００３】
図６に示すように、浴室暖房乾燥機の浴室内グリルは、吸込み口部１０２と吹出し口部１０３より構成されるグリル取り付け板１０１を木ねじ１０４を使用して浴室の壁面に固定し、このグリル取り付け板１０１にグリル１０５が着脱自在に装着されていた。一方前記グリル取り付け板１０１の吹出し口部１０３には吹出しの方向を変えるための上下可変ルーバー１０６が装着されていた。
【０００４】
また、前記グリル１０５には、リモコン（図示せず）からの運転信号を受信する受信部１０７が装着されており、さらに、この受信部１０７には浴室の壁を挟んで屋外側に取り付けられた屋外機と装着された電装箱との通信線１０８がコネクター等により接続されていた。
【０００５】
また、浴室暖房乾燥機のグリルの吹出し口は、空気調和機の室内ユニットのグリルと同一の構成であり、特開平７ー１５８９６１号公報に記載されたものが知られている。
【０００６】
以下、その室内ユニットのグリルについて図７を参照しながら説明する。
図７に示すように、グリル１０９は上部の吸込み口部１１０と下部の吹出し口部１１１とから構成され、この吸込み口部１１０と吹き出し口部１１１とはセパレーター１１３により区画されている。さらに、この吹出し口部１１１には風向を変えるために上下可変ルーバー１１２が複数枚装着され、お互い連動するように構成されていた。
【０００７】
また、上下可変ルーバー１１２の奥には、左右可変ルーバー１１４が複数枚装着され、この左右可変ルーバー１１４も連動するように構成されていた。
【０００８】
【発明が解決しようとする課題】
このような従来の浴室暖房乾燥機のグリルでは、グリル１０５が受信部１０７において、通信線１０８により屋外機と接続されているため、はずすことができず、グリル１０５の清掃を浴室壁面にグリルを装着した状態でおこなわなくてはいけないという課題があり、容易にグリル１０５の清掃ができるようにすることが要求されている。
【０００９】
また、浴室暖房乾燥機のグリルは、暖房運転時に温風を床面に当てるため上下可変ルーバー１１２を下方にむけて使用する。このとき、吹出し口部１１０から吹き出す温風は上下可動ルーバー１１２に沿って下方に吹き出すことになるが、吸込み口部１１０と吹出し口部１１１を分割するセパレーター１１３が可動しないため最上部の上下可動ルーバー１１２とこのセパレーター１１３の形状がハ字形状に広がることになり、吹き出しの風量分布が吹出し口部１１０の下方の方が風量が多い場合はよいが、吹出し口部１１０の風量が上下ともに均一な場合は温風の吹き出しが水平と下方に２分され温風が床面まで届かないという課題があり、床面にむけてスポット的に温風を吹き付けることのできるようにすることが要求されている。
【００１０】
また、浴室暖房乾燥機の左右可動ルーバー１１４は、連動させることにより一方向のみに吹き出すという課題があり、浴室内で衣類を乾燥させたり浴室内を乾燥させるときに効率をよくするため温風をワイドに吹き出すことが要求されている。
【００１１】
本発明は、このような従来の課題を解決するものであり、グリルを壁面からはずして清掃ができ、また、暖房運転時に温風をスポット的に床面まで到達させることができ、衣類乾燥および浴室乾燥運転時には左右方向に温風をワイドに吹き出すことができる浴室暖房乾燥機を提供することを目的としている。
【００１２】
【課題を解決するための手段】
上記課題を解決するための本発明の浴室暖房乾燥機の一つの手段は、壁面に固定されるグリル取り付け板と、このグリル取り付け板にリモコンからの運転信号を受信する受信箱を装着し、グリルを着脱可能にしたものである。
【００１３】
本発明によれば、清掃時に容易に壁面からグリルをはずすことのできる浴室暖房乾燥機が得られる。
【００１４】
また、グリル取り付け板の吹出し口部に装着される複数個の上下可動ルーバーで、その内の一枚を吸込み部と吹出し部とを区画するセパレーターの先端部に設けたものである。
【００１５】
本発明によれば、暖房運転時に床面に向けてスポット的に温風を吹き付けることができる浴室暖房乾燥機が得られる。
【００１６】
また、グリル取り付け板の吹出し口部に装着される複数個の左右可動ルーバーは、上部にピンＡを形成し、セパレーターに設けた孔に挿入するとともに、下部に皿部を構成し、この皿部の底面に溝を形成するとともに、前記皿部の丸孔に挿入するようピンＢを形成し、このピンＢに凸部を設け、前記溝に嵌合する構成としたものである。
【００１７】
本発明によれば、複数枚の左右可動ルーバーをそれぞれ個別に可動させることができる浴室暖房乾燥機が得られる。
【００１９】
【発明の実施の形態】
本発明の請求項１に記載の発明は、壁面に固定され、吸込み口部と吹出し口部とにより構成されたグリル取り付け板と、このグリル取り付け板にリモコンからの運転信号を受信する受信箱を装着し、グリルを着脱可能に構成した浴室暖房乾燥機であって、前記グリル取り付け板の吹出し口部に複数個の上下可動ルーバーを装着し、その内の一枚を前記吸込み口部と前記吹出し口部とを区画するセパレーターの先端部に、他の前記複数個の上下可動ルーバーと連動するように設けた構成にしたものであり、暖房運転時に床面に向けてスポット的に温風を吹き付けるという作用を有する。
【００２０】
請求項２に記載の発明は、グリル取り付け板の吹出し口部に装着される複数個の左右可動ルーバーで、この左右可動ルーバーの下部を皿形状に構成し、この皿形状の底面に溝を形成するとともに、グリル取り付け板の左右可動ルーバーと接する個所に凸形状を構成したものであり、複数枚の左右可動ルーバーをそれぞれ個別に可動させるという作用を有する。
【００２１】
以下、本発明の実施例について添付図面を参照しながら説明する。
【００２２】
（実施例１）
図１および図２に示すように、浴室の壁面１の浴室側にグリル部２と屋外側に屋外機３を取り付け、このグリル部２と屋外機３とはダクト４により接続されている。前記グリル部２は、グリル取り付け板５とこのグリル取り付け板５に着脱自在に装着されたグリル６とから構成されている。前記グリル取り付け板５は吸込み口部７と吹出し口部８とにより構成され、それぞれをセパレーター９で分割されている。さらに、吹出し口部８には複数枚の上下可動ルーバーＡ１０が取り付けられるとともに、前記セパレーター９の先端部にも上下可動ルーバーＢ１１が取り付けられ、この複数枚の上下可動ルーバーＡ１０および上下可動ルーバーＢ１１は連動するように構成されている。また、上下可動ルーバーＡ１０の奥には、左右可動ルーバー１２が複数枚装着されている。一方グリル取り付け板５の下部にはリモコン（図示せず）からの運転信号を受信する受信箱１３が装着され、この受信箱１３には屋外機３に設けられた電装箱（図示せず）からの通信線１４が接続されている。また、グリル６には受信箱１３がリモコンからの運転信号を受信できるように角孔が形成され、受信部が前面に露出する構成となっている。
【００２３】
上記構成において、グリル６はグリル取り付け板５と完全に分離可能となるとともに、グリル６には電装部品がない状態となり、グリル６の清掃をおこなうときに、グリル６を壁面１からはずして水洗いができるという作用をおこなうことになる。
【００２４】
（実施例２）
図３および図４はグリル取り付け板５のセパレーター９と上下可動ルーバーＡ１０および上下可動ルーバーＢ１１の断面図を示し、図３は上下可動ルーバーが水平状態を示し、図４は上下可動ルーバーを下方に向けた状態を示す。
【００２５】
そして、セパレーター９の先端部は、吸込み空気と吹き出し空気のショートサーキット防止のため段部１５が形成され、この段部１５に上下可動ルーバーＢ１１の後端部がはまる構成となっている。
【００２６】
上記構成において、上下可動ルーバーＡ１０を下方にむけると上下可動ルーバーＢ１１も連動して下方を向くことになり、吹出し口部８はすべて平行に下方を向くことになり、暖房運転時に床面に向けてスポット的に温風を吹き付けるという作用をおこなうことになる。また、セパレーター９の先端部に段部１５を設けたため、上下可動ルーバーＢ１１を下方に向けたときでも吸込み空気と吹き出し空気のショートサーキットは防止できる。
【００２７】
（実施例３）
図５に示すように、グリル取り付け板５の吹出し口部８に設けられる左右可動ルーバー１２は、上部にピンＡ１６を形成し、セパレーター９に設けた孔に挿入するとともに、左右可動ルーバー１２の下部は皿部１７を設け、この皿部１７の底面中央に丸孔１８を設け、この丸孔１８に対し放射状に溝１９を形成するとともに、前記グリル取り付け板５の吹出し口部８の下面側に前記左右可動ルーバー１２の下部に設けられた皿部１７の丸孔１８に挿入するようピンＢ２０が形成され、このピンＢ２０には皿部１７に設けられた溝１９に嵌合するよう凸部２１を構成している。
【００２８】
上記構成において、左右可動ルーバー１２を回転させると、ピンＡ１６およびピンＢ２０を支点に回転することになる。このとき、凸部２１が皿部１７の底面に設けた溝１９にはまる個所で左右可動ルーバー１２は固定されることになり、複数枚の左右可動ルーバー１２を連動させなくとも、吹き出し口からの風により向きが変わることもなく複数枚の左右可動ルーバー１２をそれぞれ個別に可動させるという作用をおこなうことになる。
【００２９】
【発明の効果】
以上のように本発明によれば、グリル取り付け板に受信箱を取り付けグリルと分離した構成にしたため、清掃時に容易にグリルを壁面から脱着して水洗いができるという有利な効果が得られる。
【００３０】
また、グリル取り付け板の吹出し口部に複数個の上下可動ルーバーを装着し、その内の一枚を吸込み口部と吹出し口部とを区画するセパレーターの先端部に、他の前記複数個の上下可動ルーバーと連動するように設けたため、暖房運転時床面にむけてスポット的に温風を吹き付けることができるという効果が得られる。
【００３１】
また、グリル取り付け板の吹出し口部に装着される複数個の左右可動ルーバーで、左右可動ルーバーの下部を皿形状に構成し、この皿形状の底面に溝を形成するとともに、グリル取り付け板の左右可動ルーバーと接する個所に凸部を設け、前記溝と嵌合する構成としたため、複数枚の左右可動ルーバーをそれぞれ個別に可動させることができ、衣類乾燥および浴室乾燥運転時には左右方向に温風をワイドに吹き出すことができるという効果が得られる。
【図面の簡単な説明】
【図１】本発明の実施例１の浴室暖房乾燥機の構成を示す断面図
【図２】同浴室暖房乾燥機のグリルの構成を示す斜視図
【図３】本発明の実施例２の浴室暖房乾燥機の上下可動ルーバーを示す断面図
【図４】同上下可動ルーバーを下方に向けた時の断面図
【図５】本発明の実施例３の浴室暖房乾燥機の左右可動ルーバーを示す斜視図
【図６】従来の浴室暖房乾燥機の構成を示す斜視図
【図７】同空気調和機の室内ユニットの構成を示す断面図
【符号の説明】
１    壁面
２    グリル部
５    グリル取り付け板
６    グリル
８    吹出し口部
９    セパレーター
１０  上下可動ルーバーＡ
１１  上下可動ルーバーＢ
１２  左右可動ルーバー
１３  受信箱
１６  ピンＡ
１７  皿部
１８  丸孔
１９  溝
２０  ピンＢ
２１  凸部
【図１】
0003751155.tif 000002
【図２】
0003751155.tif 000003
【図３】
0003751155.tif 000004
【図４】
0003751155.tif 000005
【図５】
0003751155.tif 000006
【図６】
0003751155.tif 000007
【図７】
0003751155.tif 000008